(57)【要約】【課題】制御キーごとの時間帯ごとの操作頻度に基づいて制御キーの大きさを自由に切り替える。【解決手段】複数の制御キーを表示する表示部と、制御キーに対する接触を検出する検出部と、検出部により検出されるそれぞれの制御キーの接触回数を、時間帯ごとに記憶する記憶部と、記憶部により記憶されている、現在時刻を含む時間帯におけるそれぞれの制御キーの接触回数に基づいて、表示部におけるそれぞれの制御キーの表示態様を切り換える制御部と、を備えることにより、制御キーごとの時間帯ごとの操作頻度に基づいて制御キーの大きさを自由に切り替えることができる。【選択図】図９
2009258817.tif 000002
【特許請求の範囲】
【請求項１】
複数の制御キーを表示する表示部と、
前記制御キーに対する接触を検出する検出部と、
前記検出部により検出されるそれぞれの制御キーの接触回数を、時間帯ごとに記憶する記憶部と、
前記記憶部により記憶されている、現在時刻を含む時間帯におけるそれぞれの制御キーの接触回数に基づいて、前記表示部におけるそれぞれの制御キーの表示態様を切り換える制御部と、を備えることを特徴とするタッチパネル型操作装置。 
【請求項２】
前記制御部は、現在時刻を含む時間帯における前記接触回数が第１接触回数以上である制御キーについては第１表示態様で前記表示部に表示させる一方、前記接触回数が前記第１接触回数未満である制御キーについては前記第１表示態様よりも表示領域の小さい第２表示態様で前記表示部に表示させることを特徴とする請求項１に記載のタッチパネル型操作装置。 
【請求項３】
前記制御部は、現在時刻を含む時間帯における前記接触回数が前記第１接触回数より少ない第２接触回数未満である制御キーについては前記第２表示態様よりも表示領域が小さい第３表示態様で前記表示部に表示させることを特徴とする請求項２に記載のタッチパネル型操作装置。 
【請求項４】
前記制御部は、現在時刻を含む時間帯において、最も前記接触回数が多い前記制御キーを、前記表示部の所定の領域に表示させることを特徴とする請求項１から３のいずれか一項に記載のタッチパネル型操作装置。 
【請求項５】
前記制御部は、全時間帯で最も前記接触回数が多い前記制御キーを、前記表示部の所定の領域に表示させることを特徴とする請求項１から３のいずれか一項に記載のタッチパネル型操作装置。 
【請求項６】
表示部に複数の制御キーを表示する操作装置における表示制御方法であって、
前記制御キーの接触を検出し、
検出した制御キーの接触回数を時間帯ごとに計数し、
現在時刻を含む時間帯における前記接触回数に基づいてそれぞれの制御キーの表示態様を決定し、前記表示部に表示することを特徴とする表示制御方法。
【発明の詳細な説明】
【技術分野】
【０００１】
本発明は、液晶タッチパネルを用いたタッチパネル型操作装置及び表示制御方法に関する。
【背景技術】
【０００２】
近年、プッシュボタン型のリモコンに代わり、液晶タッチパネルを用いたリモコンが知られている（以下、液晶タッチパネルリモコンと称する）。液晶タッチパネルは、液晶パネル上にタッチパネルが載置されたものであり、タッチパネルを透過する形でタッチ位置目標及び制御内容を示す制御キーを表示する。
液晶タッチパネルリモコンに表示された制御キーを手指やタッチペン等で押下することで、当該制御キーに対応する制御信号を送出し、目的機器の遠隔制御を行うことができる。つまり、制御キーのそれぞれには、目的機器を遠隔制御するための機能が割り当てられている。
液晶タッチパネルリモコンを用いることにより、制御キーの種類や大きさ、配置等を自由に変更することができるので、制御キーのパターンを複数用意し、適宜切り替えることができる。
【０００３】
例えば、特許文献１には、表示部の表示をユーザにわかりやすい表示に変更することが可能な技術が開示されている。また、例えば、特許文献２には、外部メモリから読み込んだ表示データに基づいて複数の電子機器のリモコンそれぞれに対応したキーを表示させることで、複数の電子機器の操作を単一のリモコンで行うことが可能な技術が開示されている。
【０００４】
また、例えば、特許文献３には、ユーザの使用状況に応じて自動的に操作パネルの表示形態を変更することが可能な技術が開示されている。具体的には、ユーザのキー操作回数に応じてキーを拡大、変形、変色する等表示形態の変更を行う。
【特許文献１】特開２００７−２８１３６号公報
【特許文献２】特開平６−６８７２号公報
【特許文献３】特開２００３−２８０７８２号公報
【発明の開示】
【発明が解決しようとする課題】
【０００５】
上述したように、従来の液晶タッチパネルリモコンの中には、制御キーのパターンを複数用意し自由に切り替え可能なものが存在するが、当該キーパターンの切り替え作業は、ユーザが用意されたハードキーや特別なメニューを操作する必要があり、煩わしかった。
また、ユーザや制御対象によってタッチ位置が偏り、特にタッチ検出領域が小さい場合には、高頻度な使用位置に対しパネルの劣化（例えば、パネルコーティング剥げや傷等）や汚れが集中しがちである。
また、キー操作回数に応じて自動的にキー表示の変更を行うものがあるが、時間帯によってユーザが頻繁に使用するキーは異なる可能性があり、必ずしも最適なキー表示が行われているとはいえない。
【０００６】
本発明は、制御キーごとの時間帯ごとの操作頻度に基づいて制御キーの大きさを自由に切り替えることを目的とする。
【課題を解決するための手段】
【０００７】
請求項１に記載の発明は、上記目的を達成するためになされたものであり、タッチパネル型操作装置において、複数の制御キーを表示する表示部と、前記制御キーに対する接触を検出する検出部と、前記検出部により検出されるそれぞれの制御キーの接触回数を、時間帯ごとに記憶する記憶部と、前記記憶部により記憶されている、現在時刻を含む時間帯におけるそれぞれの制御キーの接触回数に基づいて、前記表示部におけるそれぞれの制御キーの表示態様を切り換える制御部と、を備えることを特徴とする。
【０００８】
請求項２に記載の発明は、請求項１に記載のタッチパネル型操作装置において、前記制御部は、現在時刻を含む時間帯における前記接触回数が第１接触回数以上である制御キーについては第１表示態様で前記表示部に表示させる一方、前記接触回数が前記第１接触回数未満である制御キーについては前記第１表示態様よりも表示領域の小さい第２表示態様で前記表示部に表示させることを特徴とする。
【０００９】
請求項３に記載の発明は、請求項２に記載のタッチパネル型操作装置において、前記制御部は、現在時刻を含む時間帯における前記接触回数が前記第１接触回数より少ない第２接触回数未満である制御キーについては前記第２表示態様よりも表示領域が小さい第３表示態様で前記表示部に表示させることを特徴とする。
【００１０】
請求項４に記載の発明は、請求項１から３のいずれか一項に記載のタッチパネル型操作装置において、前記制御部は、現在時刻を含む時間帯において、最も前記接触回数が多い前記制御キーを、前記表示部の所定の領域に表示させることを特徴とする。
【００１１】
請求項５に記載の発明は、請求項１から３のいずれか一項に記載のタッチパネル型操作装置において、前記制御部は、全時間帯で最も前記接触回数が多い前記制御キーを、前記表示部の所定の領域に表示させることを特徴とする。
【００１２】
請求項６に記載の発明は、表示部に複数の制御キーを表示する操作装置における表示制御方法であって、前記制御キーの接触を検出し、検出した制御キーの接触回数を時間帯ごとに計数し、現在時刻を含む時間帯における前記接触回数に基づいてそれぞれの制御キーの表示態様を決定し、前記表示部に表示することを特徴とする。
【発明の効果】
【００１３】
本発明によれば、制御キーごとの時間帯ごとの操作頻度に基づいて制御キーの大きさを自由に切り替えることができる。
これにより、時間帯ごとに操作頻度の高い制御キーの操作目標（タッチ位置目標）の範囲面積が広がり、実際の押下ポイントを分散させることができるので、タッチ位置の偏りを解消し、パネルの劣化や汚れの集中を防止することができる。
【発明を実施するための最良の形態】
【００１４】
以下、本発明の実施の形態を図面に基づいて説明する。なお、本実施形態では、本発明に係るタッチパネル型操作装置を液晶タッチパネルリモコンに適用した場合について例示する。
【００１５】
図１は、本実施形態に係る液晶タッチパネルリモコン１００の一例を示す外観図である。また、図２は、図１に示した液晶タッチパネルリモコン１００のタッチ検出領域について示した説明図である。
図１に示すように、液晶タッチパネルリモコン１００は、表示部１を備える。表示部１上には、例えば、電源キー（ＰＯＷＥＲキー）、音量キー（ＶＯＬ．キー）、チャンネルキー（「１」キー、「２」キー、・・・）等の制御キー、現在時刻等が表示される。本実施形態では、詳しくは後述するが、表示部１に表示される文字や図形、及びタッチ位置目標（枠）の表示は、ドットマトリクス式で行われる（図５参照）。
また、図２に示すように、表示部１は、ＡＲ０、ＡＲ１、といったタッチ検出領域を備える。タッチ検出領域とは、ユーザによる操作（接触）に伴い検出された位置に基づいて、操作された制御キーを特定することが可能な範囲のことである。なお、タッチ検出領域は、各制御キーのタッチ位置目標に一致するように設定されるのが望ましい。
【００１６】
図３は、本実施形態に係る液晶タッチパネルリモコン１００の概略構成を示すブロック図である。なお、本実施形態に係る液晶タッチパネルリモコン１００は、従来の液晶タッチパネルリモコン１００と同様の構成で実施することが可能である。
図３に示すように、液晶タッチパネルリモコン１００は、表示部１と、表示処理部２と、制御部３と、発信部４と、メモリ５と、を備えて構成される。
【００１７】
表示部１は、例えば、液晶パネル１２上にタッチパネル１１が載置された液晶タッチパネルである。表示部１の液晶パネル１２は、タッチ位置目標及び制御内容を示す制御キー等を表示する。また、表示部１のタッチパネル１１は、ユーザによる制御キーの操作（例えば、手指やタッチペン等による押下）を検出する。すなわち、表示部１は、ユーザのキー操作に対応して制御対象機器の制御を行うための操作部としての機能を有する。
ユーザによる制御キーの操作が検出されると、検出位置情報（タッチ座標情報）が制御部３に入力され、当該検出位置情報に対応した制御キーに割り当てられている制御信号が発信部４に送信されることとなる。
【００１８】
なお、本実施形態では、液晶パネル１２の表示方式をドットマトリクス式としている。ドットマトリクス式とは、細分化した画点（ドット）を集合させて並べ、任意箇所を点灯できる「ドットマトリクス」を構成し、データ化した図案（ドットマップ、表示用データ）に従い、ドット画を表示する方法のことである。
【００１９】
表示処理部２は、メモリ５から制御部３を介して読み出された表示用データ（制御キーの画像データ）に基づいて、液晶パネル１２に制御キー等を表示させるための制御を行う。液晶パネル１２の表示方式（例えば、ドットマトリクス式）に対応した表示を行うことができるように液晶表示ドライバの設定が行われる。
発信部４は、制御部３から送信された制御信号（リモコン信号）を発信する。本実施形態では、赤外線信号をリモコン信号としている。
【００２０】
メモリ５は、例えば、半導体メモリ等で構成され、表示部１で表示される表示用データや、時間帯ごとに各制御キーの累積押下回数（接触回数）と表示モードを対応付けた制御キーテーブル等を記憶する。メモリ５は、例えば、図４に示す制御キーテーブルを記憶している。
図４は、各制御キーの時間帯ごとの累積押下回数及び表示モードについて示した制御キーテーブルである。表示モードとは、表示部１における制御キーの表示態様を示すものである。液晶タッチパネルリモコン１００は、例えば、通常表示モード、制御キーを通常表示モードよりも大きく表示する拡大表示モード、制御キーを通常表示モードよりも小さく表示する縮小表示モードを備えている。
【００２１】
なお、図４には、「１」キーに関するデータだけ抜粋して示しているが、他の制御キーに対しても同様に時間帯ごとの累積押下回数及び表示モードのデータが記憶されている。
本実施形態では、０：４４を開始時刻として、１時間間隔で１日を２４の時間帯に分割している。そして、ユーザによって操作された制御キーの押下回数を時間帯ごとに計数するようにしている。
【００２２】
図４に示すように、「１」キーは、６：４４〜、７：４４〜、８：４４〜の間に１００回以上押下されている。また、「１」キーについて、累積押下回数が１００回以上の時間帯では表示モードが「拡大」に設定され（拡大表示モード）、それ以外の時間帯では表示モードが「通常」に設定されている（通常表示モード）。
【００２３】
制御部３は、例えば、ＣＰＵ（Central Processing Unit）、ＲＡＭ（Random Access Memory）、ＲＯＭ（Read Only Memory）等を備えて構成され、液晶タッチパネルリモコン１００の各部を制御する。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば、半導体メモリ等で構成され、処理プログラムやデータ等が予め記憶されている。ＲＯＭには、例えば、制御キーごとの累積押下回数に応じて表示モードの切り替えを行う頻度判定プログラム等が記憶されている。
ＣＰＵは、ＲＯＭに格納された処理プログラム等を読み出して、ＲＡＭに展開して実行することにより、液晶タッチパネルリモコン１００全体の制御を行う。
【００２４】
ＣＰＵは、例えば、メモリ５に記憶されている時間帯ごとの各制御キーの累積押下回数（図４の制御キーテーブル参照）に応じて当該制御キーの大きさを拡大したり、縮小したりする処理を行う。すなわち、時間帯ごとの各制御キーの累積押下回数に応じて、それぞれの制御キーの表示モードを、通常表示モード、拡大表示モード、縮小表示モードの何れかに切り換える。
なお、表示部１に表示する制御キー画像の拡大／縮小に伴い、これに対応するタッチ検出領域は拡大／縮小されるものとする。
【００２５】
例えば、図４に示す制御キーテーブルに従って「１」キーの表示制御を行うと、６：４４〜、７：４４〜、８：４４〜の時間帯は表示モードが「拡大」に設定されているので、現在時刻がこれらの時間帯に含まれる場合には「１」キーの拡大表示を行う。また、それ以外の時間帯では表示モードが「通常」に設定されているので、現在時刻がこれらの時間帯に含まれる場合には「１」キーの通常表示を行う。
【００２６】
このように、本実施形態に係る液晶タッチパネルリモコン１００は、複数の制御キーを表示する表示部（表示部１）と、前記制御キーに対する接触を検出する検出部（タッチパネル１１）と、前記検出部により検出されるそれぞれの制御キーの接触回数を、時間帯ごとに記憶する記憶部（メモリ５）と、前記記憶部により記憶されている、現在時刻を含む時間帯におけるそれぞれの制御キーの接触回数に基づいて、前記表示部におけるそれぞれの制御キーの表示態様（表示モード）を切り替える制御部（制御部３）と、を備える。
液晶タッチパネルリモコン１００は、上記構成を備えることにより、制御キーごとの操作頻度に基づいて制御キーの大きさを自由に切り替えることができる。
以下、液晶タッチパネルリモコン１００における制御キーの大きさの切り替え方法について、第１実施形態から第４実施形態を例に用いて説明する。
【００２７】
（第１実施形態）
第１実施形態では、液晶タッチパネルリモコン１００において、時間帯ごとに操作頻度の高い制御キーを拡大表示させる場合について説明する。
図５は、第１実施形態で用いる制御キーの表示用データの一例について示した説明図である。図５には、液晶タッチパネルリモコン１００と、ＰＯＷＥＲキーを含む範囲Ｐの拡大図が示されている。この表示用データは、メモリ５に記憶されている。
本実施形態では、図５に示すように、制御キーのタッチ位置目標（枠）とその機能を示す文字についてそれぞれ通常のものと大きいものが用意されている。
【００２８】
図５（Ａ）は、通常表示モードにおいて使用されるＰＯＷＥＲキーの表示用データである。また、図５（Ｂ）は、拡大表示モードにおいて使用されるＰＯＷＥＲキーの表示用データである。図５（Ｂ）は図５（Ａ）に比べ、枠と文字（ＰＯＷＥＲ）が大きくなっている。
【００２９】
制御部３は、制御キーごとに時間帯ごとの累積押下回数を管理し、通常表示モードと拡大表示モードを制御キーごとに独立して設定して切り替える。第１実施形態では、累積押下回数がｎ回未満だった場合は通常表示モードによる表示を行い、累積押下回数がｎ回に達した場合は拡大表示モードによる表示に切り替えるようにしている。
具体的には、当該切り替えは、累積押下回数に基づいて表示モードの変更を行う頻度判定処理（後述する図９）、及び当該頻度判定処理の結果設定された表示モードに基づいて各制御キーの大きさを切り替える表示制御処理（後述する図１０）により行われる。
なお、本実施形態では、ｎ＝１００とする。つまり、現在時刻を含む時間帯における累積押下回数が１００回以上となっている制御キーについては、拡大表示モードによる表示が行われる。
【００３０】
図６は、「６：４４〜」の時間帯の各制御キーの累積押下回数及び表示モードについて示した制御キーテーブルである。
図６に示すように、「１」キー、「８」キーは１００回以上押下されているので、「６：４４〜」の時間帯に拡大表示されるよう表示モードが「拡大」に設定されている。つまり、当該時間帯になると、「１」キー、「８」キーは自動的に拡大表示されることとなる。
【００３１】
例えば、現在時刻がＡＭ７：００の場合には、制御キーの大きさは図７，８に示すようになる。
図７は、図６で示された制御キーテーブルに従う制御キーの表示例について示した説明図である。また、図８は、図７に示した液晶タッチパネルリモコン１００のタッチ検出領域について示した説明図である。
図７に示すように、ＡＭ７：００の時点（６：４４〜の時間帯）では「１」キー、「８」キーの表示モードが「拡大」に設定され、その他の制御キーの表示モードは「通常」に設定されている。したがって、図７に示すように、「１」キー、「８」キーだけが拡大表示され、その他の制御キーは通常表示とされている。また、図８では、それに合わせて上記制御キーのタッチ検出領域が拡大設定されている。例えば、「７」キーが表示されているタッチ検出領域ＡＲ１１は通常の大きさであるが、「１」キーが表示されているタッチ検出領域ＡＲ０１は拡大されていることがわかる。
【００３２】
図９は、本実施形態に係る液晶タッチパネルリモコン１００内で行われる頻度判定処理の一例について示したフローチャートである。この頻度判定処理Ａは、ユーザによる制御キー操作が検出されたことを契機に、ＣＰＵがＲＯＭに格納されている頻度判定処理プログラムを実行することにより実現される。
図９に示すように、ステップＳ１１では、ユーザにより押下された制御キー及び押下時刻が判別される。ユーザにより制御キーが押下された場合、当該制御キーに該当する部分のタッチ検出領域がタッチを検出し、当該検出位置情報を制御部３に送信する。制御部３は、当該検出位置情報に対応した制御信号を発信部４に入力し、当該制御信号は各制御機器に向けて発信されることとなる。
また、押下時刻は制御部３のタイマ（図示せず）により取得され、取得された時刻（検出位置情報を受信した時刻）に応じて次のステップ以降で参照されるカウンタ（累積押下カウンタ）が選択される。
【００３３】
ステップＳ１２では、ステップＳ１１で判別された制御キーの押下時間帯の累積押下回数カウンタの値が１加算される。
ステップＳ１３では、ステップＳ１１で判別された制御キーの押下時間帯の累積押下回数カウンタの値がｎ以上であるか否かが判定される。ｎの値は、ユーザの好みで自由に設定することができる。カウンタの値がｎ以上であった場合は、次のステップＳ１４へと移行し、カウンタの値がｎ未満であった場合は、当該頻度判定処理を終了する。
ステップＳ１４では、ステップＳ１１で判別された制御キーの当該時間帯の表示モード設定が「拡大」に変更される。そして、後述する表示制御処理において、当該制御キーの表示・検出領域が「拡大表示モード」に切り替えられることとなる。なお、ステップＳ１４の処理が行われる前に、既に表示モードが「拡大」に設定されていた場合は、そのまま「拡大表示モード」が維持される。
この頻度判定処理によって設定された累積押下回数及び表示モードは、メモリ５に記憶されている制御キーテーブル（図４、図６参照）に格納される。
【００３４】
図１０は、本実施形態に係る液晶タッチパネルリモコン１００内で行われる制御キーの表示制御処理の一例について示したフローチャートである。ここで、各制御キーは、初期状態として全て通常表示モードで表示されているものとする。
図１０に示すように、ステップＳ１０１では、現在時刻を含む時間帯の制御キーテーブルが参照される。例えば、ＡＭ７：００の時点では、図６のような制御キーテーブルが参照されることとなる。
ステップＳ１０２では、ステップＳ１０１で参照された制御キーテーブルの表示モード欄に変更があるか否かが判定される。当該判定は、制御キーごとに、現在表示されている画面の表示モードと、制御キーテーブルの表示モード欄とを比較することにより行われる。例えば、図９のステップＳ１４により表示モードが変更される場合と、時間帯が変化したことにより表示モードが変更される場合がある。そして、表示モードに変更があった場合は、次のステップＳ１０３へと移行し、表示モードに変更がなかった場合は、ステップＳ１０１へと移行し、当該表示制御処理が繰り返されることとなる。
ステップＳ１０３では、ステップＳ１０１で参照された制御キーテーブルの表示モード（変更後の表示モード）に基づいて、該当する制御キーの表示態様が変更される。
【００３５】
このように、第１実施形態では、各制御キーの時間帯ごとの累積押下回数をカウントし記憶しておき、当該累積押下回数が所定の回数に達した場合に当該時間帯において拡大表示を行うようにしている。
すなわち、制御部３は、現在時刻を含む時間帯における接触回数が第１接触回数（例えば、１００回）以上である制御キー（図６に示す制御キーテーブルでは「１」、「８」キー）については第１表示態様（拡大表示モード）で表示部１に表示させる。一方、接触回数が第１接触回数未満である制御キーについては第１表示態様よりも表示領域の小さい第２表示態様（通常表示モード）で表示部１に表示させる。
これにより、制御キーごとの時間帯ごとの操作頻度に基づいて制御キーの大きさを切り替えることができるので、ユーザにとって最適なキー表示を行うと同時に、パネルの劣化や汚れを防ぐことができる。
【００３６】
（第２実施形態）
第１実施形態では、時間帯ごとに操作頻度の高い制御キーを拡大表示するようにしているが、時間帯ごとに操作頻度の低い制御キーを縮小表示させることで、誤操作を防止するよう設定することも可能である。
第２実施形態では、液晶タッチパネルリモコン１００において、第１実施形態と同様に、時間帯ごとに操作頻度の高い制御キーを拡大表示させるとともに、時間帯ごとに操作頻度の低い制御キーについては縮小表示させる場合について説明する。
【００３７】
図１１は、第２実施形態で用いる制御キーの表示用データの一例について示した説明図である。図１１には、液晶タッチパネルリモコン１００と、ＰＯＷＥＲキーを含む範囲Ｐの拡大図が示されている。この表示用データは、メモリ５に記憶されている。
第２実施形態では、図１１に示すように、制御キーのタッチ位置目標（枠）とその機能を示す文字について通常で用意されるものの他に、大きいものと小さいものが用意されている。第１実施形態で用いられる表示用データ（図５参照）に加えて、縮小表示モードにおいて使用されるＰＯＷＥＲキーの表示用データ（図１１（Ｃ））が用意されている。
図１１（Ｂ）は図１１（Ａ）に比べ、枠と文字（ＰＯＷＥＲ）が大きくなっており、図１１（Ｃ）は図１１（Ａ）に比べ、枠と文字（ＰＯＷＥＲ）が小さくなっている。
【００３８】
制御部３は、制御キーごとに時間帯ごとの累積押下回数を管理し、通常表示モード、拡大表示モード、縮小表示モードを制御キーごとに独立して設定して切り替える。第２実施形態では、累積押下回数がｍ回未満だった場合は縮小表示モードによる表示を行い、累積押下回数がｎ回に達した場合は拡大表示モードによる表示を行う。そして、累積押下回数がｍ回以上ｎ回未満だった場合は通常表示モードによる表示を行う。
なお、第２実施形態では、ｎ＝１００、ｍ＝２０とする。つまり、現在時刻を含む時間帯における累積押下回数が１００回以上となっている制御キーについては拡大表示モードによる表示が行われ、累積押下回数が２０回未満となっている制御キーについては、縮小表示モードによる表示が行われる。
【００３９】
図１２は、「６：４４〜」の時間帯の各制御キーの累積押下回数及び表示モードについて示した制御キーテーブルである。
図１２に示すように、「１」キー、「８」キーは１００回以上押下されているので、「６：４４〜」の時間帯に拡大表示されるよう表示モードが「拡大」に設定されている。また、「２」キー、「５」キー、「１１」キーは２０回未満しか押下されていないので、当該時間帯に縮小表示されるよう表示モードが「縮小」に設定されている。つまり、当該時間帯になると、「１」キー、「８」キーは自動的に拡大表示され、「２」キー、「５」キー、「１１」キーは自動的に縮小表示されることとなる。
【００４０】
例えば、現在時刻がＡＭ７：００の場合には、制御キーの大きさは、図１３，１４に示すようになる。
図１３は、図１２で示された制御キーテーブルに従う制御キーの表示例について示した説明図である。また、図１４は、図１３に示した液晶タッチパネルリモコン１００のタッチ検出領域について示した説明図である。
図１３に示すように、ＡＭ７：００の時点（６：４４〜の時間帯）では「１」キー、「８」キーが拡大表示され、「２」キー、「５」キー、「１１」キーが縮小表示されている。また、図１４では、それに合わせて上記制御キーのタッチ検出領域が拡大及び縮小設定されている。
【００４１】
なお、図１３，１４では、「１」キー、「８」キーの大きさは、第１実施形態（図７，８参照）と比較して大きくなっている。つまり、第２実施形態では、拡大表示モードで表示される制御キーの上下左右に隣接する制御キーが縮小表示モードで表示される場合には、拡大しうる領域が拡がるので、さらに大きな表示とするようにしている。図１１（Ｂ）に示す拡大表示モードの表示用データを複数用意しておき、隣接する制御キーの表示モードに応じて適宜選択することで実現できる。これにより、操作頻度の高い制御キーの表示領域はさらに大きくなるので、押下ポイントをいっそう分散させることができる。
【００４２】
図１５は、本実施形態に係る液晶タッチパネルリモコン１００内で行われる頻度判定処理の一例について示したフローチャートである。この頻度判定処理Ｂは、ユーザによる制御キー操作が検出されたことを契機に、ＣＰＵがＲＯＭに格納されている頻度判定処理プログラムを実行することにより実現される。
図１５に示すように、ステップＳ２１では、ユーザにより押下された制御キー及び押下時刻が判別される。ユーザにより制御キーが押下された場合、当該制御キーに該当する部分のタッチ検出領域がタッチを検出し、当該検出位置情報を制御部３に送信する。制御部３は、当該検出位置情報に対応した制御信号を発信部４に入力し、当該制御信号は各制御機器に向けて発信されることとなる。
また、押下時刻は制御部３のタイマ（図示せず）により取得され、取得された時刻（検出位置情報を受信した時刻）に応じて次のステップ以降で参照されるカウンタ（累積押下カウンタ）が選択される。
【００４３】
ステップＳ２２では、ステップＳ２１で判別された制御キーの押下時間帯の累積押下回数カウンタの値が１加算される。
ステップＳ２３では、ステップＳ２１で判別された制御キーの押下時間帯の累積押下回数カウンタの値がｎ以上であるか否かが判定される。ｎの値は、ユーザの好みで自由に設定することができる。カウンタの値がｎ以上であった場合は、次のステップＳ２４へと移行し、カウンタの値がｎ未満であった場合は、ステップＳ２５へと移行する。
ステップＳ２４では、ステップＳ２１で判別された制御キーの当該時間帯の表示モード設定が「拡大」に変更される。そして、当該制御キーの表示・検出領域が「拡大表示モード」に切り替えられることとなる。なお、ステップＳ２４の処理が行われる前に、既に表示モードが「拡大」に設定されていた場合は、そのまま「拡大表示モード」が維持される。
【００４４】
ステップＳ２５では、ステップＳ２１で判別された制御キーの押下時間帯の累積押下回数カウンタの値がｍ未満であるか否かが判定される。ｍの値は、ユーザの好みで自由に設定することができる。カウンタの値がｍ未満であった場合は、次のステップＳ２６へと移行し、カウンタの値がｍ以上であった場合は、ステップＳ２７へと移行する。
ステップＳ２６では、ステップＳ２１で判別された制御キーの当該時間帯の表示モード設定が「縮小」に変更される。そして、当該制御キーの表示・検出領域が「縮小表示モード」に切り替えられる。なお、ステップＳ２６の処理が行われる前に、既に表示モードが「縮小」に設定されていた場合は、そのまま「縮小表示モード」が維持される。
ステップＳ２７では、ステップＳ２１で判別された制御キーの当該時間帯の表示モード設定が「通常」のまま維持される。なお、ステップＳ２７の処理が行われる前に、表示モードが「縮小」に設定されていた場合は、「通常」に切り替えられる。
この頻度判定処理によって設定された累積押下回数及び表示モードは、メモリ５に記憶されている制御キーテーブル（図４、図１２参照）に格納される。
【００４５】
なお、制御キーの表示制御処理については、第２実施形態においても第１実施形態と同様に行われる。すなわち、図１０に示す表示制御処理に従って、制御キーの表示制御が行われる。
【００４６】
このように、第２実施形態では、時間帯ごとの操作頻度により制御キーを自動的に拡大表示又は縮小表示させるようにしている。
すなわち、制御部３は、現在時刻を含む時間帯における接触回数が第１接触回数（例えば、１００回）より少ない第２接触回数（例えば、２０回）未満である制御キーについては第２表示態様（通常表示モード）よりも表示領域が小さい第３表示態様（縮小表示モード）で表示部１に表示させる。
これにより、制御キーごとの時間帯ごとの操作頻度に基づいて制御キーの大きさを切り替えることができるので、ユーザにとって最適なキー表示を行うと同時に、パネルの劣化や汚れを防ぐことができる。
【００４７】
なお、第２実施形態に従って縮小表示モードによる制御キーの表示を行う場合、初期状態（全ての制御キーが未使用）において全ての制御キーが縮小表示とされてしまうのを回避するため、縮小表示モードによる表示は所定期間（例えば、１日）経過ごとに有効とするのが望ましい。
【００４８】
（第３実施形態）
第３実施形態では、液晶タッチパネルリモコン１００において、時間帯ごとに操作頻度が最も高い制御キーを特定の領域に拡大表示させる場合について説明する。
なお、第３実施形態では、数字キーのみを特定の領域（特定領域Ｓ）に拡大表示させるものとし、リモコン操作時に必ず使用するＰＯＷＥＲキーやＶＯＬ．キー等の数字以外のキーは、必然的に操作頻度が高くなるので、特定領域Ｓに拡大表示させないものとする。また、各制御キーの表示用データとしては、第１実施形態又は第２実施形態と同様の表示用データ（図５，図１１参照）を利用できる。
【００４９】
図１６は、「６：４４〜」の時間帯の各制御キーの累積押下回数及び表示モードについて示したテーブルである。第１実施形態に係る図６の制御キーテーブルと比較して、当該時間帯における累積押下回数が最も多い制御キーについて、累積押下回数が最大であることを示す情報が付加されている点が異なる。すなわち、第３実施形態では、時間帯ごとに、一つの制御キーに対して表示モードとして「拡大（最大）」が設定される。
図１６では、当該時間帯において「８」キーの累積押下回数が最大であることを示している。この場合、「６：４４〜」の時間帯では、「８」キーが、表示部１の特定領域Ｓに表示されることとなる。
【００５０】
図１７は、図１６で示された制御キーテーブルに従う制御キーの表示例について示した説明図である。また、図１８は、図１７に示した液晶タッチパネルリモコン１００のタッチ検出領域について示した説明図である。なお、第３実施形態では、「ＳＥＬＥＣＴ」キーと時刻表示で挟まれた領域を特定領域Ｓとしている。
図１７に示すように、ＡＭ７：００の時点（６：４４〜の時間帯）では「１」キー、「８」キーが拡大表示され、特定領域Ｓには、当該時間帯の累積押下回数が最大の「８」キーが拡大表示されている。また、図１８に示すように、「１」キー、「８」キーの拡大表示に合わせて対応するタッチ検出領域が拡大設定されるとともに、特定領域Ｓにもタッチ検出領域が設定される。
【００５１】
図１９は、本実施形態に係る液晶タッチパネルリモコン１００内で行われる最高頻度判定処理の一例について示したフローチャートである。この最高頻度判定処理Ａは、ユーザによる制御キー操作が検出されたことを契機に、ＣＰＵがＲＯＭに格納されている最高頻度判定処理プログラムを実行することにより実現される。
図１９に示すように、ステップＳ３１では、ユーザにより押下された制御キー及び押下時刻が判別される。ユーザにより制御キーが押下された場合、当該制御キーに該当する部分のタッチ検出領域がタッチを検出し、当該検出位置情報を制御部３に送信する。制御部３は、当該検出位置情報に対応した制御信号を発信部４に入力し、当該制御信号は各制御機器に向けて発信されることとなる。
また、押下時刻は制御部３のタイマ（図示せず）により取得され、取得された時刻（検出位置情報を受信した時刻）に応じて次のステップ以降で参照されるカウンタ（累積押下カウンタ）が選択される。
【００５２】
ステップＳ３２では、ステップＳ３１で判別された制御キーの押下時間帯の累積押下回数カウンタの値が１加算される。
ステップＳ３３では、ステップＳ３１で判別された制御キーの押下時間帯の累積押下回数カウンタの値がｎ以上であるか否かが判定される。ｎの値は、ユーザの好みで自由に設定することができる。カウンタの値がｎ以上であった場合は、次のステップＳ３４へと移行し、カウンタの値がｎ未満であった場合は、Ｓ３５へと移行する。
ステップＳ３４では、ステップＳ３１で判別された制御キーの当該時間帯の表示モード設定が「拡大」に変更される。そして、当該制御キーの表示・検出領域が「拡大表示モード」に切り替えられる。なお、ステップＳ３４の処理が行われる前に、既に表示モードが「拡大」に設定されていた場合は、そのまま「拡大表示モード」が維持される。
【００５３】
ステップＳ３５では、当該押下時間帯の中で当該制御キーの累積押下回数が最大であるか否かが判定される。累積押下回数が最大であった場合は、次のステップＳ３６へと移行し、累積押下回数が最大でなかった場合は、当該最高頻度判定処理を終了する。
ステップＳ３６では、当該キーの当該時間帯の表示モード設定が「拡大（最大）」に変更される。そして、当該押下時間帯に当該キーが特定領域Ｓに拡大表示されることとなる。なお、ステップＳ３６の処理が行われる前に、既に表示モードが「拡大（最大）」に設定されていた場合は、そのまま維持される。
この頻度判定処理によって設定された累積押下回数及び表示モードは、メモリ５に記憶されている制御キーテーブル（図４、図１６参照）に格納される。
【００５４】
なお、制御キーの表示制御処理については、第２実施形態においても第１実施形態と同様に行われる。すなわち、図１０に示す表示制御処理に従って、制御キーの表示制御が行われる。
【００５５】
このように、第３実施形態では、時間帯ごとの操作頻度により制御キーが自動的に拡大表示されると同時に、当該時間帯に最も操作頻度の高い制御キーを特定の領域に設けるようにしている。
すなわち、制御部３は、現在時刻を含む時間帯において、最も接触回数が多い制御キーを、表示部１の所定の領域Ｓに表示させる。
このように特定領域に新たに最高頻度の制御キーを設けることで、最高頻度のキーが２つ表示されることになり、ユーザによる押下を分散することができる。
【００５６】
なお、第２実施形態と組み合わせて、操作頻度の低い制御キーについては縮小表示モードにより表示するようにしてもよい。
【００５７】
（第４実施形態）
第４実施形態では、液晶タッチパネルリモコン１００において、全時間帯で最も操作頻度の高い制御キーを特定の領域に拡大表示させる場合について説明する。
なお、第４実施形態では、数字キーのみを特定の領域に拡大表示させるものとし、必ず使用するＰＯＷＥＲキーやＶＯＬ．キー等の数字以外のキーは特定の領域に拡大表示させないものとする。また、各制御キーの表示用データとしては、第１実施形態又は第２実施形態と同様の表示用データ（図５，図１１参照）を利用できる。
【００５８】
図２０は、「６：４４〜」の時間帯の各制御キーの累積押下回数、表示モード及び全時間帯累積押下回数について示した制御キーテーブルである。図１９に示すように、第４実施形態では、時間帯ごとの制御キーの累積押下回数とともに、全時間帯にわたる累積押下回数（全時間帯累積押下回数）が制御キーテーブルに格納され、これに基づいて表示モードを設定するようにしている。
図２０に示すように、「１」キーは１００回以上押下されているので、「６：４４〜」の時間帯に拡大表示されるよう表示モードが「拡大」に設定されている。つまり、当該時間帯になると、「１」キーは自動的に拡大表示されることとなる。
また、「８」キーは１００回以上押下されており、全時間帯累積押下回数が最大となっているので、「６：４４〜」の時間帯に拡大表示されるとともに、特定領域Ｓに表示されるように表示モードが「拡大（最大）」に設定されている。つまり、当該時間帯になると、「８」キーは自動的に拡大表示され、特定領域Ｓに「８」キーが表示されることとなる。
なお、全時間帯累積押下回数が最大であっても、時間帯ごとの累積押下回数が１００回未満である場合は、表示モードは「通常（最大）」とされる。この場合、制御キーは通常表示モードにより表示されるが、特定領域Ｓにも表示されることとなる。
【００５９】
図２１は、図２０で示された制御キーテーブルに従う制御キーの表示例について示した説明図である。また、図２２は、図２１に示した液晶タッチパネルリモコン１００のタッチ検出領域について示した説明図である。
図２１に示すように、ＡＭ７：００の時点（６：４４〜の時間帯）では「１」キー、「８」キーが拡大表示され、特定領域Ｓには、全時間帯の累積押下回数が最大の「８」キーが拡大表示されている。また、図２１に示すように、「１」キー、「８」キーの拡大表示にあわせて対応するタッチ検出領域が拡大設定されるとともに、特定領域Ｓにもタッチ検出領域が設定される。
【００６０】
図２３は、本実施形態に係る液晶タッチパネルリモコン１００内で行われる最高頻度判定処理の一例について示したフローチャートである。この最高頻度判定処理Ｂは、ユーザによる制御キー操作が検出されたことを契機に、ＣＰＵがＲＯＭに格納されている最高頻度判定処理プログラムを実行することにより実現される。
図２３に示すように、ステップＳ４１では、ユーザにより押下された制御キー及び押下時刻が判別される。ユーザにより制御キーが押下された場合、当該制御キーに該当する部分のタッチ検出領域がタッチを検出し、当該検出位置情報を制御部３に送信する。制御部３は、当該検出位置情報に対応した制御信号を発信部４に入力し、当該制御信号は各制御機器に向けて発信されることとなる。
また、押下時刻は制御部３のタイマ（図示せず）により取得され、取得された時刻（検出位置情報を受信した時刻）に応じて次のステップ以降で参照されるカウンタ（累積押下カウンタ）が選択される。
【００６１】
ステップＳ４２では、ステップＳ４１で判別された制御キーの押下時間帯の累積押下回数カウンタの値が１加算される。
ステップＳ４３では、ステップＳ４１で判別された制御キーの押下時間帯の累積押下回数カウンタの値がｎ以上であるか否かが判定される。ｎの値は、ユーザの好みで自由に設定することができる。カウンタの値がｎ以上であった場合は、次のステップＳ４４へと移行し、カウンタの値がｎ未満であった場合は、Ｓ４５へと移行する。
ステップＳ４４では、ステップＳ４１で判別された制御キーの当該時間帯の表示モード設定が「拡大」に変更される。そして、当該制御キーの表示・検出領域が「拡大表示モード」に切り替えられる。なお、ステップＳ４４の処理が行われる前に、既に表示モードが「拡大」に設定されていた場合は、そのまま「拡大表示モード」が維持される。
【００６２】
ステップＳ４５では、全時間帯の中で当該制御キーの累積押下回数が最大であるか否かが判定される。累積押下回数が最大であった場合は、次のステップＳ４６へと移行し、累積押下回数が最大でなかった場合は、当該最高頻度判定処理を終了する。
ステップＳ４６では、当該キーの全時間帯の表示モード設定が「拡大（最大）」又は「通常（最大）」に変更される。そして、当該キーが特定領域Ｓに拡大表示されることとなる。なお、ステップＳ４６の処理が行われる前に、既に当該キーが特定領域Ｓに拡大表示されていた場合は、そのまま維持される。
この頻度判定処理によって設定された累積押下回数及び表示モードは、メモリ５に記憶されている制御テーブル（図２０参照）に格納される。
【００６３】
なお、制御キーの表示制御処理については、第４実施形態においても第１実施形態と同様に行われる。すなわち、図１０に示す表示制御処理に従って、制御キーの表示制御が行われる。
【００６４】
このように、第４実施形態では、時間帯ごとの操作頻度により制御キーが自動的に拡大表示されると同時に、全時間帯で最も操作頻度の高い制御キーを特定の領域に設けるようにしている。
すなわち、制御部３は、全時間帯で最も前記接触回数が多い制御キーを、表示部１の所定の領域Ｓに表示させる。
このように特定領域に新たに最高頻度の制御キーを設けることで、最高頻度のキーが２つ表示されることになり、ユーザによる押下を分散することができる。
【００６５】
なお、第２実施形態と組み合わせて、操作頻度の低い制御キーについては縮小表示モードにより表示するようにしてもよい。
【００６６】
以上、本発明に係る実施形態に基づいて具体的に説明したが、本発明は上記実施形態に限定されるものではなく、その要旨を逸脱しない範囲で変更可能である。
【００６７】
例えば、上記実施形態では、本発明をリモコン装置に適用した場合について説明しているが、タッチパネルを表示画面（液晶パネル等）に重ねる構造を持ち、画面上で操作を行うことができる他の装置（タッチパネル型操作装置）においても本発明を適用可能である。つまり、例えば、携帯電話、携帯ＴＶ、デジタルカメラ、カーナビゲーション等でも実施可能である。
【００６８】
また、上記実施形態では、液晶タッチパネルリモコン１００の表示部１（液晶パネル１２）の表示方式をドットマトリクス式としているが、例えば、セグメント式で行ってもよい。セグメント式とは、物理的に用意した固定図案を切り替え表示する方法のことである。
図２４は、表示部１の表示方式をセグメント式とした場合に用いられる表示用データの一例について示した説明図である。
図２４には、液晶タッチパネルリモコン１００と、ＰＯＷＥＲキーを含む範囲Ｐの拡大図が示されている。図２４（Ａ）は、通常表示モードにおいて使用されるＰＯＷＥＲキーの表示用データである。また、図２４（Ｂ）は、拡大表示モードにおいて使用されるＰＯＷＥＲキーの表示用データである。図２４（Ｂ）は（Ａ）に比べ、枠と文字（ＰＯＷＥＲ）が大きくなっている。
セグメント式の場合、パターンを用意できる限りにおいて拡大表示又は縮小表示を行うことが可能である。例えば、表示内容を数字に限定し、かつ数字の大きさに変更を加えないならば、従来の電卓や時計の７セグ表示のように数字を変化させて表示することが可能である。
【００６９】
また、例えば、各制御キーの時間帯ごとの累積押下回数をカウントし記憶しておくと同時に押下時刻も記憶することで、累積押下回数を過去一定期間に限って集計する方法も実施可能である。このようにすることで、最終的に全ての制御キーの表示モードが拡大表示モードとなってしまう不具合を解消できる。
【図面の簡単な説明】
【００７０】
【図１】本実施形態に係る液晶タッチパネルリモコン１００の一例を示す外観図である。
【図２】図１に示した液晶タッチパネルリモコン１００のタッチ検出領域について示した説明図である。
【図３】本実施形態に係る液晶タッチパネルリモコン１００の概略構成を示すブロック図である。
【図４】各制御キーの時間帯ごとの累積押下回数及び表示モードについて示した制御キーテーブルである。
【図５】第１実施形態で用いる制御キーの表示用データの一例について示した説明図である。
【図６】「６：４４〜」の時間帯の各制御キーの累積押下回数及び表示モードについて示した制御キーテーブルである。
【図７】図６で示された制御キーテーブルに対応した表示例について示した説明図である。
【図８】図７に示した液晶タッチパネルリモコン１００のタッチ検出領域について示した説明図である。
【図９】本実施形態に係る液晶タッチパネルリモコン１００内で行われる頻度判定処理の一例について示したフローチャートである。
【図１０】本実施形態に係る液晶タッチパネルリモコン１００内で行われる表示制御処理の一例について示したフローチャートである。
【図１１】第２実施形態で用いる制御キーの表示用データの一例について示した説明図である。
【図１２】「６：４４〜」の時間帯の各制御キーの累積押下回数及び表示モードについて示した制御キーテーブルである。
【図１３】図１２で示された制御キーテーブルに対応した表示例について示した説明図である。
【図１４】図１３に示した液晶タッチパネルリモコン１００のタッチ検出領域について示した説明図である。
【図１５】本実施形態に係る液晶タッチパネルリモコン１００内で行われる頻度判定処理の一例について示したフローチャートである。
【図１６】「６：４４〜」の時間帯の各制御キーの累積押下回数、表示モード及び全時間帯累積押下回数について示した制御キーテーブルである。
【図１７】図１６で示された制御キーテーブルに対応した表示例について示した説明図である。
【図１８】図１７に示した液晶タッチパネルリモコン１００のタッチ検出領域について示した説明図である。
【図１９】本実施形態に係る液晶タッチパネルリモコン１００内で行われる最高頻度判定処理の一例について示したフローチャートである。
【図２０】「６：４４〜」の時間帯の各制御キーの累積押下回数、表示モード及び全時間帯累積押下回数について示した制御キーテーブルである。
【図２１】図２０で示された制御キーテーブルに従う制御キーの表示例について示した説明図である。
【図２２】図２１に示した液晶タッチパネルリモコン１００のタッチ検出領域について示した説明図である。
【図２３】本実施形態に係る液晶タッチパネルリモコン１００内で行われる最高頻度判定処理の一例について示したフローチャートである。
【図２４】表示部１の表示方式をセグメント式とした場合に用いられる表示用データの一例について示した説明図である。
【符号の説明】
【００７１】
１００  液晶タッチパネルリモコン
１  表示部
１１  タッチパネル
１２  液晶パネル
２  表示処理部
３  制御部
４  発信部
５  メモリ
【図１】
2009258817.tif 000003
【図２】
2009258817.tif 000004
【図３】
2009258817.tif 000005
【図４】
2009258817.tif 000006
【図５】
2009258817.tif 000007
【図６】
2009258817.tif 000008
【図７】
2009258817.tif 000009
【図８】
2009258817.tif 000010
【図９】
2009258817.tif 000011
【図１０】
2009258817.tif 000012
【図１１】
2009258817.tif 000013
【図１２】
2009258817.tif 000014
【図１３】
2009258817.tif 000015
【図１４】
2009258817.tif 000016
【図１５】
2009258817.tif 000017
【図１６】
2009258817.tif 000018
【図１７】
2009258817.tif 000019
【図１８】
2009258817.tif 000020
【図１９】
2009258817.tif 000021
【図２０】
2009258817.tif 000022
【図２１】
2009258817.tif 000023
【図２２】
2009258817.tif 000024
【図２３】
2009258817.tif 000025
【図２４】
2009258817.tif 000026